(57)【要約】【課題】接着剤の剥離によってレンズが脱落しないレンズ保持構造を提供する。【解決手段】光軸方向にレンズ４を嵌入して保持するレンズホルダ１の側壁内面に接着穴５を設け、接着穴５に接着剤８を充填して、レンズ４のレンズホルダ１から脱離する方向を向いた接着面７に接着剤８を盛り付ける。【選択図】図１
2007199235.tif 000002
【特許請求の範囲】
【請求項１】
光軸方向にレンズを嵌入して保持するレンズホルダの側壁内面に接着穴を設け、
前記接着穴に接着剤を充填して、前記レンズの前記レンズホルダから脱離する方向を向いた接着面に前記接着剤を盛り付けたことを特徴とするレンズ保持構造。
【請求項２】
前記接着穴は、前記レンズホルダの側壁を貫通することを特徴とする請求項１に記載のレンズ保持構造。
【請求項３】
前記接着面は、前記レンズの前記接着穴に対向する位置に設けた窪みまたは切り欠きによって形成されていることを特徴とする請求項１または２に記載のレンズ保持構造。
【請求項４】
前記窪みまたは切り欠きは、前記接着穴の壁面を前記レンズ側に延長した面の外側に拡がっていることを特徴とする請求項３に記載のレンズ保持構造。
【発明の詳細な説明】
【技術分野】
【０００１】
本発明はレンズの保持構造に関する。
【背景技術】
【０００２】
従来のレンズ保持構造、特に、小型のプラスチックレンズの保持構造は、図７に示すように、レンズホルダ１１にレンズ１２，１３，１４を嵌入し、抜けないように接着剤１５を盛り付けて固定する方法が採られている。
【０００３】
しかしながら、接着剤１５がレンズホルダ１１およびレンズ１４のいずれかから剥離すると、レンズ１２，１３，１４は、レンズホルダ１１から抜け落ちてしまうという問題があった。
【０００４】
特許文献１には、レンズの側面にねじを設け、レンズホルダに螺合させる発明が記載されている。
【特許文献１】特開平９−２７４１２５号公報
【発明の開示】
【発明が解決しようとする課題】
【０００５】
前記問題点に鑑みて、本発明は、接着剤の剥離によってレンズが脱落しないレンズ保持構造を提供することを課題とする。
【課題を解決するための手段】
【０００６】
前記課題を解決するために、本発明によるレンズ保持構造は、光軸方向にレンズを嵌入して保持するレンズホルダの側壁内面に接着穴を設け、前記接着穴に接着剤を充填して、前記レンズの前記レンズホルダから脱離する方向を向いた接着面に前記接着剤を盛り付けたものとする。
【０００７】
この構成によれば、レンズから接着剤が剥離しても、接着剤の塊が接着面を係止してレンズの抜け落ちを防止する。
【０００８】
また、本発明のレンズ保持構造において、前記接着穴は、前記レンズホルダの側壁を貫通していてもよい。
【０００９】
この構成によれば、レンズホルダの側方から接着剤を充填してレンズを固定できる。
【００１０】
また、本発明のレンズ保持構造において、前記接着面は、前記レンズの前記接着穴に対向する位置に設けた窪みまたは切り欠きによって形成されていてもよい。
【００１１】
この構成によれば、レンズを固定するための接着剤がレンズ表面に突出しない。
【００１２】
また、本発明のレンズ保持構造において、前記窪みまたは切り欠きは、前記接着穴の壁面を前記レンズ側に延長した面の外側に拡がっていてもよい。
【００１３】
この構成によれば、接着剤がレンズホルダの接着穴だけでなく内側の壁面にも接するように盛り付けられる。このため、接着剤がレンズホルダおよびレンズの両方から剥離しても、剥離した接着剤の塊がレンズホルダの壁面に係止されて接着穴および接着面から脱離せず、レンズの脱落を防止できる。
【発明の効果】
【００１４】
以上のように、本発明によれば、接着剤が剥離しても、接着剤の塊がレンズを係止してレンズの脱落を防止できる。
【発明を実施するための最良の形態】
【００１５】
これより、本発明の実施形態について、図面を参照しながら説明する。
図１に、本発明の第１実施形態のレンズ保持構造を示す。本実施形態は、円筒状のレンズホルダ１の内側に、３枚のレンズ２，３，４が奥まで嵌入されている。レンズホルダ１の側壁には、レンズ４が嵌合する部分に内面から外面に貫通する接着穴５が設けられている。
【００１６】
また、レンズ４は、接着穴５に対向する部分をレンズホルダ１の開放側（脱離方向）から切除した切り欠き６が設けられており、レンズ４の脱落方向に対向する接着面７を形成している。図示するように、接着面７は、レンズ４の嵌入方向に正対しなくても、レンズ４の脱落方向から９０°未満の方向を向いている面であればよい。また、接着穴５は、レンズ４側端の略中央部に開口しているため、切り欠き６は、接着穴５の壁面を延長した面よりもレンズ４の脱落方向に拡がっている。
【００１７】
接着穴５と切り欠き６との連通する空間には、接着剤８が充填されている。接着剤８は、接着面７に盛り付けられ、接着穴５の壁面をレンズ４側に延長した面の外側に拡がっている。
【００１８】
続いて、以上のレンズ保持構造の効果を説明する。
本実施形態のレンズ保持構造において、接着剤８がレンズホルダ１から剥離しても、接着剤８の塊の上部が接着穴５の壁面に保持されるため、レンズ４を係止して脱落を防ぐことができる。また、接着剤８がレンズ４から剥離しても、接着剤８の塊の下部が接着面７を係止して、レンズ４の脱落を防ぐことができる。さらに、接着剤８がレンズホルダ１およびレンズ４の両方から剥離しても、接着剤８の塊は、レンズホルダ１の内壁に当接しているので接着穴５の上方へ脱離することができず、また、接着穴５の内壁に当接しているので光軸方向に切り欠き６から脱離することもできない。このため、接着剤８の塊は、その場に留まり、レンズ４の脱落を防止する。
【００１９】
また、本実施形態において、接着剤８は、レンズ４の光軸方向からでも、レンズホルダ１の側方からでも接着穴５および切り欠き６の中に充填することができる。
【００２０】
本実施形態の接着穴５および切り欠き６は、例えば光軸周りに３カ所程度設ければよいが、その数は任意である。また、切り欠き６は、接着穴５の位置に合わせて設けてもよいし、レンズ４の全周に渡って段差を形成するように設けてもよい。
【００２１】
さらに、図２に、本発明のレンズ保持構造の第２実施形態を示す。以降の説明において、先述の構成要素と同じ構成要素には同じ符号を付して説明を省略する。
本実施形態において、接着穴５’はレンズホルダ１の側壁を貫通しないように形成された穴である。
【００２２】
この構造では、接着剤８は、レンズ４の光軸方向から充填しなければならないが、レンズホルダ１およびレンズ４から剥離しても、その場に留まってレンズ４がレンズホルダ１から脱落しないように係止できる点は、第１実施形態と同様である。
【００２３】
さらに、図３に、本発明のレンズ保持構造の第３実施形態を示す。
本実施形態において、接着穴５”は、レンズ４の径方向外側に向かって細くなっている。また、接着面７は、レンズ４の側壁に設けた窪み６’によって形成されている。窪み６’は接着穴５”の壁面を延長した面の内部に納まっている。
【００２４】
本実施形態において、接着穴５”がレンズ４の径方向外側に向かって細くなっているので、接着剤８がレンズホルダ１およびレンズ４から剥離しても、接着剤８の塊はその場に留まり、レンズ４を係止する。
【００２５】
図４に、本発明のレンズ保持構造の第４実施形態を示す。
本実施形態は、第１実施形態と同様にレンズ４の径方向外側に向かって拡大する接着穴５と、第３実施形態と同様の窪み６’とを組み合わせたものである。また、図示するように、接着面７は、曲面で構成されてもよい。
【００２６】
本実施形態では、接着穴５が外側に向かって拡大するので、射出成型の金型を構成しやすい。本実施形態においては、接着剤８の塊は、レンズホルダ１およびレンズ４の両方から剥離すると接着穴５から脱離してしまうが、レンズ１およびレンズホルダ４のいずれか一方に接着されていれば、接着穴５の中に留まり、レンズホルダ１からレンズ４が脱落することを防止できる。
【００２７】
図５に、第４実施形態を改良した本発明のレンズ保持構造の第５実施形態を示す。
本実施形態の窪み６’は、接着穴５の壁面をレンズ４側に延長した面の外側に開口するように大きく形成されている。
【００２８】
この構造によって、接着剤８がレンズ１およびレンズホルダ４の両方から剥離しても、レンズホルダ１の内壁が接着剤８の塊を係止して、レンズ４の脱落を防止する。
【００２９】
図６に、本発明のレンズ保持構造の第６実施形態を示す。
本実施形態では、レンズ４に切り欠き６や窪み６”のような構成を設けず、レンズ４の光が透過する面の外縁部を接着面７とし、接着穴５の内部および接着面７とレンズホルダ１の内壁面とに接着剤８を盛り付けたものである。
【００３０】
本実施形態では、レンズホルダ１の長さが僅かに長くなるが、レンズ４の構成が簡単になるという利点がある。
【図面の簡単な説明】
【００３１】
【図１】本発明の第１実施形態のレンズ保持構造の断面図。
【図２】本発明の第２実施形態のレンズ保持構造の断面図。
【図３】本発明の第３実施形態のレンズ保持構造の断面図。
【図４】本発明の第４実施形態のレンズ保持構造の断面図。
【図５】本発明の第５実施形態のレンズ保持構造の断面図。
【図６】本発明の第６実施形態のレンズ保持構造の断面図。
【図７】従来のレンズ保持構造の断面図。
【符号の説明】
【００３２】
１  レンズホルダ
４  レンズ
５，５’，５”  接着穴
６  切り欠き
６’  窪み
７  接着面
８  接着剤
【図１】
2007199235.tif 000003
【図２】
2007199235.tif 000004
【図３】
2007199235.tif 000005
【図４】
2007199235.tif 000006
【図５】
2007199235.tif 000007
【図６】
2007199235.tif 000008
【図７】
2007199235.tif 000009